(57)【要約】      （修正有）【課題】消臭剤を入れる収納容器を用いる簡易な消臭装置の提供。【解決手段】上面に開口部１ａを有し、消臭剤３を収納する容器凹所１Ａを有した収納容器１と、この収納容器の開口部を全体に亘って覆う蓋体２と、この蓋体の裏面に設けられたファン９と、蓋体に設けられ、ファンを駆動するモーター５と、このモーターの作動用電源４とを備え、蓋体には貫通する開口部２ａが形成された消臭装置Ｓ。【選択図】図３
2012011166.tif 000002
【特許請求の範囲】
【請求項１】
上面に開口部を有し、消臭剤を収納する容器凹所を有した収納容器と、
この収納容器の開口部を全体に亘って覆う蓋体と、
この蓋体の裏面に設けられたファンと、
前記蓋体に設けられ、前記ファンを駆動するモーターと、
このモーターの作動用電源とを備え、
前記蓋体に前記蓋体を貫通する開口部が形成されている
ことを特徴とする消臭装置。
【請求項２】
上面に開口部を有し、消臭剤を収納する容器凹所を有した収納容器と、
この収納容器の開口部を全体に亘って覆う蓋体と、
この蓋体の裏面に設けられたファンと、
前記蓋体に設けられ、前記ファンを駆動するモーターと、
このモーターの作動用電源とを備え、
前記蓋体は、上方に向かって形成された凸部を有し、この凸部の内側は凹所となった蓋体凹所であり、
前記蓋体の上方に向かって形成された凸部の外側の側面及び／又は天井面に、それぞれ前記蓋体を貫通する複数の開口部が形成されている
ことを特徴とする消臭装置。
【請求項３】
ファンは、収納容器に収納された消臭剤に臨むように設置され、
モーターは、蓋体の外側に形成した凹所のモーター収納部に収納されている
ことを特徴とする請求項１又は請求項２記載の消臭装置。
【請求項４】
作動用電源は、電池であり、
この電池を蓋体の外側に形成した凹所の電池収納部に収納している
ことを特徴とする請求項１〜３のいずれかの消臭装置。
【請求項５】
屋内に設置されると共に、天井面を有する使用済み容器を回収する回収容器と、
この回収容器の天井面に取り付けられた請求項１又は請求項２又は請求項３又は請求項４の消臭装置と、
を備えていることを特徴とする回収容器の消臭装置。
【請求項６】
蓋体は、上方に向かって形成された凸部を有し、この凸部の内側は凹所となった蓋体凹所であり、
前記凸部の外形は、互いに直交する４側面を有する略直方体状であり、
前記４側面の各側面にそれぞれ前記蓋体を貫通する開口部が形成されている
ことを特徴とする請求項５記載の回収容器の消臭装置。
【発明の詳細な説明】
【技術分野】
【０００１】
本発明は、消臭装置及び回収容器の消臭装置に係り、特に、入れ物である収納容器に外側に位置するケースの機能を付加して簡易な消臭装置及び回収容器の消臭装置に関する。
【背景技術】
【０００２】
従来、下部に上面が開口した脱臭剤室を備え、上部にモータ直結の拡散ファンを内蔵
すると共に側壁に送風窓を備えた消臭装置がある（例えば、特許文献参照）。
【先行技術文献】
【特許文献】
【０００３】
【特許文献１】実開昭６３−１３５６４５号公報
【発明の概要】
【発明が解決しようとする課題】
【０００４】
しかしながら、上述した消臭装置にあっては、円筒形ケースの下半部に円筒形脱臭剤室、該円筒形脱臭剤室内に脱臭剤を入れる容器、円筒形ケースの上半部にモータ、ファン等をそれぞれ配置したものであり、脱臭剤を入れる容器は、脱臭剤を入れる機能しかなく、また、消臭装置の本体である円筒形ケースは、ケースとての機能しか有していないという問題点があった。
【０００５】
本発明は、上述した問題点を考慮し、入れ物である収納容器に外側に位置するケースの機能を付加した簡易な消臭装置及び回収容器の消臭装置を提供することを目的とする。
【課題を解決するための手段】
【０００６】
請求項１記載の消臭装置は、上面に開口部を有し、消臭剤を収納する容器凹所を有した収納容器と、この収納容器の開口部を全体に亘って覆う蓋体と、この蓋体の裏面に設けられたファンと、前記蓋体に設けられ、前記ファンを駆動するモーターと、このモーターの作動用電源とを備え、前記蓋体に前記蓋体を貫通する開口部が形成されているものである。
【０００７】
また、請求項２記載の消臭装置は、上面に開口部を有し、消臭剤を収納する容器凹所を有した収納容器と、この収納容器の開口部を全体に亘って覆う蓋体と、この蓋体の裏面に設けられたファンと、前記蓋体に設けられ、前記ファンを駆動するモーターと、このモーターの作動用電源とを備え、前記蓋体は、上方に向かって形成された凸部を有し、この凸部の内側は凹所となった蓋体凹所であり、前記蓋体の上方に向かって形成された凸部の外側の側面及び／又は天井面に、それぞれ前記蓋体を貫通する複数の開口部が形成されているものである。
【０００８】
また、請求項３記載の消臭装置は、請求項１又は請求項２記載の消臭装置において、ファンは、収納容器に収納された消臭剤に臨むように設置され、モーターは、蓋体の外側に形成した凹所のモーター収納部に収納されているものである。
【０００９】
また、請求項４記載の消臭装置は、請求項１〜３のいずれかの消臭装置において、作動用電源は、電池であり、この電池を蓋体の外側に形成した凹所の電池収納部に収納しているものである。
【００１０】
また、請求項５記載の回収容器の消臭装置は、屋内に設置されると共に、天井面を有する使用済み容器を回収する回収容器と、この回収容器の天井面に取り付けられた請求項１又は請求項２又は請求項３又は請求項４の消臭装置とを備えているものである。
【００１１】
また、請求項６記載の回収容器の消臭装置は、請求項５記載の回収容器の消臭装置において、蓋体は、上方に向かって形成された凸部を有し、この凸部の内側は凹所となった蓋体凹所であり、前記凸部の外形は、互いに直交する４側面を有する略直方体状であり、前記４側面の各側面にそれぞれ前記蓋体を貫通する開口部が形成されているものである。
【発明の効果】
【００１２】
請求項１記載の消臭装置によれば、消臭装置を消臭剤を収納する容器凹所を有した収納容器と、この収納容器の開口部を全体に亘って覆う蓋体とで構成して、入れ物である収納容器に外側に位置するケースの機能を付加して、簡易な消臭装置を得ると共に、収納容器の上方に溜まった揮発した消臭剤を蓋体の裏面にあるファンにより、拡散させ、拡散した前記消臭剤は蓋体を貫通する開口部から外部に流出し、周囲の消臭効果を高めることができる。
【００１３】
また、請求項２記載の消臭装置によれば、消臭装置を消臭剤を収納する容器凹所を有した収納容器と、この収納容器の開口部を全体に亘って覆う蓋体とで構成して、入れ物である収納容器に外側に位置するケースの機能を付加して、簡易な消臭装置を得ると共に、収納容器の上方に溜まった揮発した消臭剤を蓋体の裏面にあるファンにより、拡散させ、拡散した前記消臭剤は蓋体を貫通する開口部から外部に流出し、周囲の消臭効果を高めることができ、しかも、蓋体は、上方に向かって形成された凸部を有し、この凸部の内側は凹所となった蓋体凹所であるため、消臭剤が揮発する空間を大きく与えると共に、蓋体の上方に向かって形成された凸部の外側の側面及び／又は天井面に、それぞれ前記蓋体を貫通する複数の開口部が形成されているため、複数の開口部の内のいずれかの開口部を介して空気が収納容器内へ入ると共に、複数の開口部の内のいずれかの開口部を介して収納容器内の揮発した消臭剤が外部へ放出し、消臭効果を増大させることができる。
【００１４】
また、請求項３記載の消臭装置によれば、前述した請求項１又は請求項２記載の発明の効果に加え、ファンは、収納容器に収納された消臭剤に臨むように設置されているため、ファンによる風が収納容器に収納された消臭剤に接触して、消臭剤の揮発を促進させることができ、しかも、モーターは、蓋体の外側に形成した凹所のモーター収納部に収納されているため、設置も容易で、更に、モーターが、湿気が高い部位である蓋体の内部でない、つまり、蓋体の外側に配置されているため、モーターの故障、劣化等を防ぐことができる。
【００１５】
また、請求項４記載の消臭装置によれば、前述した請求項１〜３記載の発明の効果に加え、電池を蓋体の外側に形成した凹所の電池収納部に収納しているため、消臭剤の収納スペースに影響を与えることなく電池を容易に取り付け、取り外しができ、しかも、電池が、湿気が高い部位である蓋体の内部でない、つまり、蓋体の外側に配置されているため、電池の故障、劣化等を防ぐことができる。
【００１６】
また、請求項５記載の回収容器の消臭装置によれば、前述した請求項１〜４記載の発明の効果に加え、請求項１又は請求項２又は請求項３又は請求項４の消臭装置を屋内に設置された使用済み容器を回収する回収容器の天井面に取り付けるため、設置場所を取らず、しかも、消臭装置からの消臭剤を回収容器の天井面より流出させ、流出した消臭剤は、回収容器の周囲を自然落下し、回収容器から漏れる臭いを軽減化させることができる。
【００１７】
また、請求項６記載の回収容器の消臭装置によれば、前述した請求項５記載の発明の効果に加え、蓋体は、上方に向かって形成された凸部を有し、この凸部の内側は凹所となった蓋体凹所であり、前記凸部の外形は、互いに直交する４側面を有する略直方体状であり、前記４側面の各側面にそれぞれ前記蓋体を貫通する開口部が形成されているため、４側面の各側面にそれぞれ形成された開口部からの消臭剤を回収容器の天井面より流出させ、流出した消臭剤は、回収容器の周囲を自然落下し、回収容器から漏れる臭いを軽減化させることができる。
【図面の簡単な説明】
【００１８】
【図１】図１は、本発明の一実施例の消臭装置の概略的斜視図である。
【図２】図２は、図１の消臭装置の概略的平面図である。
【図３】図３は、図２の３−３線による概略的断面図である。
【図４】図４は、図１の消臭装置の組立前の状態を分解して示す概略的分解斜視図である。
【図５】図５は、図１の蓋体を内側から見た概略的斜視図である。
【図６】図６は、図１の消臭装置と異なる他の実施例の消臭装置の概略的斜視図である。
【図７】図７は、図１の消臭装置と異なる他の実施例の消臭装置の概略的断面図である。
【図８】図８は、図７の消臭装置を分解して示す概略的分解斜視図である。
【図９】図９は、図７の消臭装置を回収容器に適用した回収容器の消臭装置の概略的断面図である。
【図１０】図１０は、図９の回収容器の消臭装置の組立前の状態を分解して示す概略的分解斜視図である。
【発明を実施するための形態】
【００１９】
本発明の一実施例の消臭装置を図面を参照して説明する。
図１に示すＳは、消臭装置で、消臭装置Ｓは、図３に示すように、上面に開口部１ａ
を有し、消臭剤３を収納する容器凹所１Ａを有した収納容器１と、この収納容器１の開口
部１ａを覆うと共に、上方に凸となる内側に蓋体凹所２Ａを有した蓋体２とから、概略的
に構成されている。  
【００２０】
収納容器１は、消臭剤３を収納する容器凹所１Ａと、この容器凹所１Ａの上端面の周
囲が該周囲の全体に亘って略水平方向に広がる上端水平周縁部１Ｂとを有し、また、蓋体
２は、上方に凸となる内側に蓋体凹所２Ａを形成し、この蓋体凹所２Ａの下端面の周囲が
該周囲の全体に亘って略水平方向に広がる下端水平周縁部２Ｂとを有し、この下端水平周
縁部２Ｂと上端水平周縁部１Ｂとが当接している（図３参照）。
この下端水平周縁部２Ｂと上端水平周縁部１Ｂとが当接した状態を保持手段、例えば
、クランプ１０により保持することができる。なお、保持手段は、クランプ１０以外に、
例えば、図示しないが接着テープ等でも良い。
また、蓋体２の上方に凸となる外側の側面及び天井面には、図１〜図５に示すように
、それぞれ蓋体２を貫通する複数の開口部２ａ、２ｂが形成されている。なお、消臭剤３
は、例えば、吸水性樹脂に親水性の消臭剤を吸収させたものである。
【００２１】
また、図１に示す４は蓋体１に搭載された電池、５は電池４によりリード線６、６を
介して駆動するモーター、７は電池４を収納した電池収納部で、電池収納部７は蓋体２の
外側に設けられ、電池収納部７は、具体的には、蓋体２の外側に設けられた第１の凹所で
ある。
また、図１に示す８はモーターを収納したモーター収納部で、モーター収納部８は蓋
体１の外側に設けられ、モーター収納部８は、具体的には、蓋体２の外側に設けられた第
２の凹所である。
なお、図１に示す２０はリード線６、６を収納する凹みで、リード線収納部となって
いる。
【００２２】
また、５１はモーター５の回転軸で、回転軸５１は、図３に示すように、蓋体２を貫
通して、先端が蓋体２の内方に臨むように取り付けられ、回転軸５１には、ファン、例え
ば、シロッコファン９（ファンは、シロッコファン９以外に図示しないが、プロペラファ
ン等でも良い。）が取り付けられている。なお、図３に示すように、ファン９の吹き出し方向Ｚに消臭剤３が位置していると、消臭剤３に空気が当って消臭剤３の揮発が促進され、消臭効果を増大させることができる。
【００２３】
従って、上述した図１〜図５記載の消臭装置Ｓによれば、使用時、消臭剤３の入った収納容器１のカバーＣを剥いで（図４参照）、収納容器１の開口部１ａを蓋体２で覆えば、入れ物である収納容器１に外側に位置するケースの機能を付加して簡易な消臭装置Ｓを得ることができると共に、蓋体２の内部にあるファン９により、収納容器１内の消臭剤３の上方に空気の流れを形成して、蓋体２の複数の開口部２ａ、２ｂの何れかから、外部の空気を取り入れ、消臭剤３の蒸散を促進させ、蓋体２の複数の開口部２ａ、２ｂの何れかから、揮発した消臭剤３を外部に流出させて、装置全体が大掛かりとならないで消臭効果を高め、しかも、蓋体２に上方に凸となる内側に蓋体凹所２Ａを有するため、消臭剤３が揮発する空間を与えると共に、蓋体２の上方に凸となる外側の側面及び天井面に、それぞれ蓋体２を貫通する複数の開口部２ａ、２ｂが形成されているため、複数の開口部２ａ、２ｂの内のいずれかの開口部を介して空気が収納容器１内へ入ると共に、複数の開口部２ａ、２ｂの内のいずれかの開口部を介して収納容器１内の揮発した消臭剤３が外部へ放出されて消臭効果を増大させることができ、更に、電池４、モーター５等の電気部品が、湿気が高い部位である蓋体２の内部でない、つまり、蓋体２の外側に配置されているため、電気部品の故障、劣化等を防ぐことができる。
【００２４】
なお、上述した実施例の消臭装置Ｓにあっては、蓋体２は、上方に凸となる内側に蓋
体凹所２Ａを形成し、この蓋体凹所２Ａの下端面の周囲が該周囲の全体に亘って略水平方
向に広がる下端水平周縁部２Ｂとしたが、本願発明にあっては、これに限らず、例えば、
図６に示すように、下端水平周縁部２Ｂより下方に垂下する垂下部２Ｃを、更に、設ける
ようにしても良い。
即ち、下端水平周縁部２Ｂと上端水平周縁部１Ｂとが当接した状態にあって、上端水
平周縁部１Ｂの外側に垂下部２Ｃが位置していると、蓋体２が収納容器１より離脱するの
を防ぐようにすることができる。
【００２５】
上述した図１乃至図６記載の実施例の消臭装置Ｓにあっては、蓋体２の上方に向かって形成された凸部の外側の側面に開口部２ａ、蓋体２の上方に向かって形成された凸部の外側の天井面に開口部２ｂを設け（なお、蓋体２は、上方に向かって形成された凸部を有し、この凸部の内側は凹所となった蓋体凹所２Ａとした場合、消臭剤２が揮発する空間を大きく与えると共に、蓋体２の上方に向かって形成された凸部の外側の側面及び／又は天井面に、それぞれ蓋体２を貫通する複数の開口部２ａ、２ｂが形成されているため、複数の開口部２ａ、２ｂの内のいずれかの開口部を介して空気が収納容器１内へ入ると共に、複数の開口部２ａ、２ｂの内のいずれかの開口部を介して収納容器１内の揮発した消臭剤３が外部へ放出されて消臭効果を増大させることができる。）たが、本願発明は、これに限らず、蓋体２の上方に向かって形成された凸部の外側の天井面にのみ開口部２ｂを設けても良いし、また、図７及び図８に示すように、蓋体２の上方に向かって形成された凸部の外側の側面にのみ開口部２ａを設けても良い。
即ち、蓋体２の上方に向かって形成された凸部の外側の側面にのみ開口部２ａを設けた場合にあっては、蓋体２の凸部の外形は、互いに直交する４側面を有する略直方体状であり、４側面の各側面にそれぞれ蓋体２を貫通する横に長い開口部２ｂが形成されている。
【００２６】
従って、図７及び図８記載の消臭装置Ｓは、上面に開口部１ａを有し、消臭剤３を収納する容器凹所１Ａを有した収納容器１と、この収納容器１の開口部１ａを全体に亘って覆う蓋体２と、この蓋体２の裏面に設けられたファン９と、蓋体２に設けられ、ファン９を駆動するモーター５と、このモーター５の作動用電源[作動用電源は、図７及び図８記載の電池４でも良く、場合により、図示しないが、商用電源としても、また、蓋体２の天井面に設けたソーラーパネル（図示せず）でも、また、該ソーラーパネルと蓄電池とで構成（図示せず）しても良い。］とを備え、蓋体２に蓋体２を貫通する開口部２ａが形成されている。
この図７及び図８記載の消臭装置Ｓにおいては、上述の実施例と同様、入れ物である収納容器１に外側に位置するケースの機能を付加して簡易な消臭装置Ｓを得ることができると共に、収納容器１の上方に溜まった揮発した消臭剤３を蓋体２の裏面にあるファン９により、拡散させ、拡散した消臭剤３は蓋体２を貫通する開口部２ａから外部に流出させて、周囲の消臭効果を高めることができる。
【００２７】
そして、ファン９を図７に示すように、収納容器１に収納された消臭剤３に臨むように設置すると、ファン９による風が収納容器１に収納された消臭剤３に接触して、消臭剤３の揮発を促進させることができ、また、モーター５を、蓋体２の外側に形成した凹所のモーター収納部８に収納されているため、設置も容易で、更に、モーター５が、湿気が高い部位である蓋体２の内部でない、つまり、蓋体２の外側に配置されているため、モーター５の故障、劣化等を防ぐことができる。
また、電池４を蓋体２の外側に形成した凹所の電池収納部７に収納しているため、消臭剤３の収納スペースに影響を与えることなく電池４を容易に取り付け、取り外しができ、しかも、電池４が、湿気が高い部位である蓋体２の内部でない、つまり、蓋体２の外側に配置されているため、電池４の故障、劣化等を防ぐことができる。
また、図７及び図８に示す１Ｂ’は被係止部で、被係止部１Ｂ’は、蓋体２に設けられた係止部２Ｂ’に係止して、蓋体２が収納容器１より離脱するのを防ぐようしている。
なお、消臭剤３の入った収納容器１は、未使用時、カバーＣにより密閉され、使用する時に、図８に示すように、収納容器１のカバーＣを剥いで、収納容器１の開口部１ａを蓋体２で覆うようにするものである。
【００２８】
また、図９及び図１０に示す実施例は、上述した消臭装置Ｓを使用済み容器、例えば、清涼飲料、ジュース、ビール等の各種液体用容器として使用される使用済みのペットボトル、清涼飲料水用空缶やビール用等のアルミ缶、スチール缶等の空缶を回収する回収容器２０に適用し、屋内に設置された回収容器２０から生じる臭いの軽減化を図ったものである。
図９及び図１０に示すＢは屋内に設置された回収容器の消臭装置で、回収容器の消臭装置Ｂは、回収容器２０と、回収容器２０の天井面に取り付けられた消臭装置Ｓとから構成されている。
取り付けは、例えば、回収容器２０の天井面に取り付けられた第１の面状ファスナー２１と消臭装置Ｓの収納容器１の底に取り付けられた第２の面状ファスナー２２の係脱により行われる。
回収容器２０は、屋内に設置されると共に、天井面を有する使用済み容器２３を回収するものである。
回収容器の消臭装置Ｂにあっては、設置場所を取らず、しかも、消臭装置Ｓからの消臭剤を回収容器２０の天井面より流出させ、流出した消臭剤３は、回収容器２０の周囲を自然落下し、回収容器２０から漏れる臭いを軽減化させることができる。
【００２９】
なお、蓋体２には開口部２ａ、２ｂがあれば良いが、望ましくは、蓋体２は、図７及び図８に示したように、上方に向かって形成された凸部を有し、この凸部の内側は凹所となった蓋体凹所１Ａで、前記凸部の外形は、互いに直交する４側面を有する略直方体状で、前記４側面の各側面にそれぞれ蓋体２を貫通する開口部２ａが形成されている。
その結果、４側面の各側面にそれぞれ形成された開口部２ａからの揮発した消臭剤３を回収容器２０の天井面より流出させ、流出した消臭剤３は、回収容器の周囲を自然落下し、回収容器２０から漏れる臭いを軽減化させることができる。
また、図９及び図１０に示す２０ａは、使用済み容器２３の投入口である。
【符号の説明】
【００３０】
Ｓ      消臭装置
１      収納容器
１ａ    開口部
１Ａ    容器凹所
２      蓋体
２Ａ    蓋体凹所
２ａ    開口部
２ｂ    開口部
３      消臭剤
４      電池
５      モーター
５１    回転軸
７      電池収納部
８      モーター収納部
９      ファン
【図１】
2012011166.tif 000003
【図２】
2012011166.tif 000004
【図３】
2012011166.tif 000005
【図４】
2012011166.tif 000006
【図５】
2012011166.tif 000007
【図６】
2012011166.tif 000008
【図７】
2012011166.tif 000009
【図８】
2012011166.tif 000010
【図９】
2012011166.tif 000011
【図１０】
2012011166.tif 000012